(57)【要約】      （修正有）【課題】カメラ部、発光部、赤外線センサ送受光部等が、各社まちまちに配置された場合でも、大半の機種に対応できるスマートフォン等の機器のカバーを提供する。【解決手段】機器１の表裏を挟んで保持するカバーであって、機器の裏面を覆う裏面カバー片２に機器の表面を覆う表面カバー片３を折り畳み自在な連接部４で繋げ、裏面カバー片の上辺部にその略全幅に亘ると共に下辺部が両端部よりも下方に膨出した横長形状の窓５を施すと共に、裏面カバー片に機器の背面を吸盤６により着脱自在に装着するようにした。【選択図】図１
0003192615.tif 000002
【実用新案登録請求の範囲】
【請求項１】
機器１の表裏を挟んで保持するカバーであって、機器１の裏面を覆う裏面カバー片２に機器１の表面を覆う表面カバー片３を折り畳み自在な連接部４で繋げ、裏面カバー片２の上辺部にその略全幅に亘ると共に下辺部が両端部よりも下方に膨出した横長形状の窓５を施すと共に、裏面カバー片２に機器１の背面を着脱自在に装着するようにして成る機器のカバー。 
【請求項２】
裏面カバー片２への機器１の背面の装着を機器保持吸盤６により行うようにした請求項１に記載の機器のカバー。
【考案の詳細な説明】
【技術分野】
【０００１】
本考案はスマートフォン、タブレット等の機器の表裏を覆うカバーであって、簡単に機器を装着固定できると共に、機器の種類が変わっても、カメラやストロボの機能に幅広く対応できる機器のカバーに関するものである。
【背景技術】
【０００２】
従来より、スマートフォンやタブレットのような電子機器は、汚れや表面の傷付きを防止するため、非使用時はカバーで覆うようにされることが多い。そして、そのような機器の大多数の機種はカメラ機能、ストロボ機能を有し、そのレンズ、発光部、赤外線センサ送受光部が機器の背面上部に配置されるが、その位置は統一されたものではなく、各社まちまちで、一般にカバー類も、そのレンズ、発光部、赤外線センサ送受光部等に対応した部位にその大きさに対応した小穴を開けており、機種に応じたバージョンを用意しなければならず、そのため、割高にならざるを得ない欠点があった。
【０００３】
また、カバーへの機器の装着も、一般的に機器の角部を引っ掛けて保持するものが多く、機器の表面の一部を隠すものであった。
【特許文献１】実用新案登録第３１８３１６４号公報
【特許文献２】実用新案登録第３１８９４９９号公報
【考案の開示】
【考案が解決しようとする課題】
【０００４】
本考案は、非使用時は機器をカバーして汚れ、損傷等から機器を保護し、使用時は表面側カバーを開いて機器を使用するものであるが、機器の装着が容易であり、特に、機器背面に設置されることが多いカメラ部や発光部、赤外線センサ送受光部等が、その位置が機種によって微妙に異なっていても、１種のカバーで殆どに対応できる機器のカバーを提供しようとするものである。
【課題を解決するための手段】
【０００５】
本考案の主たる特徴は、機器１の表裏を挟んで保持するカバーであって、機器１の裏面を覆う裏面カバー片２に機器１の表面を覆う表面カバー片３を折り畳み自在な連接部４で繋げ、裏面カバー片２の上辺部にその略全幅に亘ると共に下辺部が両端部よりも下方に膨出した横長形状の窓５を施すと共に、裏面カバー片２に機器１の背面を着脱自在に装着するようにしたことであり、第２は、裏面カバー片２への機器１の背面の装着を機器保持吸盤６により行うようにしたことである。
【考案の効果】
【０００６】
本考案にあっては上述のようにしたから、機器の非使用時はカバーとして機器の表裏を包んで保護し、必要なときはカバーを開き、現れた機器１を操作するものであるが、また窓５は裏面カバー片２の略全幅に亘る横長形状であり、しかもその下辺部が両端部よりも下方に膨出した弧形状の窓５としたことにより、カメラ部、発光部、赤外線センサ送受光部等が、機種によって多少位置が変わっても、殆どの場合、無理なく対応できるものであって、機種毎に専用のカバーを何種類も用意することなく、一種類で対応できて、コスト低減を図ることができる。殊に、この窓５の下辺はその中央部が下に膨れた曲線であるので、稀に機器１の上方背部の中央部にカメラ部１１、発光部１２、赤外線センサ送受光部１３が集中配置された機種でも容易に対応できる利点がある。尚、機器１の裏面は裏面カバー片２の吸盤６にて吸着保持されるようにしておくと、機器１の表面は角が隠されることがなく、快適に操作、使用できる。
【考案を実施するための最良の形態】
【０００７】
図１は本考案の一実施例の概略を示すもので、機器１の表裏を挟むカバーは、機器１の裏面を覆う裏面カバー片２と、機器１の表面を覆う表面カバー片３を折り畳み自在な連接部４で連なって形成されている。裏面カバー片２は上辺部にその略全幅に亘る横長の窓５を施すと共に、この窓５の下方適所に機器保持吸盤６を施してある。また７は表裏面カバー片３、２の結束片である。カバーの素材はシリコンやウレタン等の軟質素材の他、硬質樹脂や金属、竹、木質材、セラミック、その他、布、紙、或いはこれらの複合素材等、任意の素材から選ぶことができる。１0は名刺やレシート等を入れるポケットである。 
【０００８】
（作用の説明）
機器１を使用しないときは、図２のように機器１の表裏を表裏カバー片３、２で包み込み、機器１外面を汚損から保護する。この時、必要に応じて結束片７で両カバー片２、３を緊結することができる。結束片７は面状ファスナー、ホック、紐、磁着等任意のものを使用できる。また機器１の背面は、裏面カバー片２の機器保持吸盤６により保持される。機器保持吸盤６は縦横複数列行に配列されている。この時、窓５から機器１背面上部に配置されたカメラ部１１や発光部１２、更には赤外線センサ送受光部１３等が、裏面カバー片２に隠されることなく、全て露出することになる。
【０００９】
機器１を使用するときは、図３のように表面カバー片３を開けて機器１の表面を露出させて使用する。ここで、カメラを使用するときは、図２と同様に窓５から機器１背面上部に配置されたカメラ部１１や発光部１２が露出していて、そのままで機能させることができる。ここで、窓５の下辺の中央部が下に膨れた曲線となっているので、稀に機器１の上方背部の中央部にカメラ部１１、発光部１２、赤外線センサ送受光部１３が縦に集中配置された機種でも容易に対応できる。
【００１０】
図４は、カメラ部１１、発光部１２、赤外線センサ送受光部１３等の幾つかの機種の配置例を示すもので、（ａ）乃至（ｆ）のように種々の配置の機種であっても、１種のカバーのみで対応できるものである。
【００１１】
尚、連接部４は、素材が樹脂系であれば、薄肉部にして折曲自在とすることができるのは勿論、その他、蝶番やバインダーなどのリング接続等、任意である。
【産業上の利用可能性】
【００１２】
最近のスマートフォンやタブレット等の機器１は、カメラ部１１、発光部１２、赤外線センサ送受光部１３が背面に設置されることが多いが、その配置は、機能の関係上、その上方部に配置されるものの、その位置は各社の志向により様々であり、全てに対応させるためには、従来はそれぞれ専用の窓を設けたものを用意していたが、本考案では１種のみで大半の機種に適用することができる。また本考案は、これらの機器１の非使用時の汚損の保護カバーであるが、機器１への装着を機器保持吸盤６により行うようにしておくと、カバーから機器が滑り落ちる惧れもなく、安全に使用でき、しかも機器１の保持のために機器１の前面の角なども隠されることがなく、画面の隅々まですっきりとストレスなく観ることができる。
【図面の簡単な説明】
【００１３】
【図１】本考案の一実施例の概略斜視図。
【図２】同上のカバーとしての使用状態の裏面側から見た斜視図。
【図３】同上のカバーを開いた状態の正面図。
【図４】同上の作用説明図。
【符号の説明】
【００１４】
１は機器、２は裏面カバー片、３は表面カバー片、４は連接部、５は窓、６は機器保持吸盤。
【図１】
0003192615.tif 000003
【図２】
0003192615.tif 000004
【図３】
0003192615.tif 000005
【図４】
0003192615.tif 000006